(57)【要約】【課題】各信号線等のケーブルであって、ＥＭＩノイズ抑制効率を適正に維持し、且つ、コスト面でも有利なＥＭＩ抑制ケーブルを得る。【解決手段】本発明は絶縁被覆層付き芯線１１の外周にフェライトコンパウンド混入樹脂層１５を形成してフェライトコンパウンド混入被覆層付き芯線１１Ａとし、該フェライトコンパウンド混入被覆層付き芯線１１Ａの複数本を束にしてフェライトコンパウンド混入被覆層付き芯線束１６とし、この外周にシールド層１２とシース層を形成する外被層１３を形成して被覆したＥＭＩ抑制ケーブル１０を提供する。【選択図】  図１
2004206952.tif 000002
【特許請求の範囲】
【請求項１】
絶縁被覆層付き芯線の外周にフェライトコンパウンド混入樹脂層を形成してフェライトコンパウンド混入被覆層付き芯線とし、該フェライトコンパウンド混入被覆層付き芯線の複数本を束にしてフェライトコンパウンド混入被覆層付き芯線束を形成し、該フェライトコンパウンド混入被覆層付き芯線束の外周にシールド層を形成して被装するとともに、該シールド層の外周にシース層を形成して被覆したことを特徴とするＥＭＩ抑制ケーブル。
【請求項２】
上記芯線の外周に形成する絶縁被覆層と該絶縁被覆層の外側を被覆するフェライトコンパウンド混入被覆層とを押出成形によって形成したことを特徴とする請求項１記載のＥＭＩ抑制ケーブル。
【請求項３】
前記のフェライトコンパウンド混入被覆層付き芯線束の外周を金属編組線層、或いは金属テープ層又はメッシュ金属線混入樹脂層等から成るシールド層にて被覆したことを特徴とする請求項１又は２記載のＥＭＩ抑制ケーブル。
【発明の詳細な説明】
【０００１】
【発明の属する技術分野】
本発明は、ＥＭＩ抑制ケーブルの製造法に関するものであり、特に、各種の電子機器に組み付けて用いられる制御用ケーブルに於いて、絶縁被覆層付き芯線ごとにＥＭＩノイズ除去機能を有するフェライトコンパウンド混入被覆層を形成して被覆して成るＥＭＩ抑制ケーブルに関するものである。
【０００２】
【従来の技術】
従来、電磁波の干渉（ＥＭＩ）を抑制するために、図３に示す如く、ケーブル１の途中にフェライトコア２を外付けしたものが知られている。而して、該フェライトコア２はコネクタ３の近傍に取り付けられており、而も、前記ＥＭＩ抑制効果を高めるために該フェライトコア２は通常数個取り付け、該ケーブル１の一部分を外側から被蔽することにより、外部からＥＭＩノイズが侵入するのを抑制すると共に、信号線からＥＭＩノイズが外部へ輻射するのを抑制している。更に又、従来は該ＥＭＩノイズ対策として内部電子パーツ、例えばフェライトビーズチップ或いはコイル等を付設したり、電子回路部位にシールド等が設けられて該ＥＭＩ対策が強化されている。
【０００３】
然し乍ら、前記フェライトコア２の外付け作業は煩雑であるばかりでなく、且つ、取り付けスペース及び重量の増加等から制約され、更に、前記内部電子パーツの付加、或いは電子回路部位のシールドの付設等と同様にコストアップの要因となっていた。
【０００４】
そこで、従来、上記不具合を解消すべく図４に示すように、芯線４の周囲に第１の絶縁層５、シールド層６及び第２絶縁層７を相互積層して成るシールド電線８であって、該第２の絶縁層７の外周面の少なくとも一部の領域にアモルファス磁性体テープ９を巻回している。（例えば特許文献１参照）
【０００５】
【特許文献１】
特開平６−２０３６５２号公報（第１〜第４頁、図１〜２）
【０００６】
【発明が解決しようとする課題】
上記特許文献１記載のケーブルは、フェライトコアを取り付けたケーブルに比し、取り付けスペース及び重量等の制約に対しては有利であるが、アモルファス磁性体を構成するアモルファス磁性体テープは、ベーステープがポリエステルやＰＰＳであり、且つ、第２の絶縁層の一部の領域においてのみ巻装されているため、ＥＭＩノイズの抑制効果は極めて低い。
【０００７】
そこで、ＥＭＩノイズの制御効率を適正に維持し、且つ、コスト面でも有利なＥＭＩ抑制ケーブルを製造するために解決されるべき技術的課題が生じてくるのであり、本発明は該課題を解決することを目的とする。
【０００８】
【課題を解決するための手段】
本発明は上記目的を達成するために提案されたものであり、絶縁被覆層付き芯線の外周にフェライトコンパウンド混入樹脂層を形成してフェライトコンパウンド混入被覆層付き芯線とし、該フェライトコンパウンド混入被覆層付き芯線の複数本を束にしてフェライトコンパウンド混入被覆層付き芯線束を形成し、該フェライトコンパウンド混入被覆層付き芯線束の外周にシールド層を形成して被装するとともに、該シールド層の外周にシース層を形成して被覆したＥＭＩ抑制ケーブル、及び上記芯線の外周に形成する絶縁被覆層と該絶縁被覆層の外側を被覆するフェライトコンパウンド混入被覆層とを押出成形によって形成したＥＭＩ抑制ケーブル、並びに前記のフェライトコンパウンド混入被覆層付き芯線束の外周を金属編組線層、或いは金属テープ層又はメッシュ金属線混入樹脂層等から成るシールド層にて被覆したＥＭＩ抑制ケーブルを提供するものである。
【０００９】
【発明の実施の形態】
以下、本発明の一実施の形態を図１及び図２に従って詳述する。図１及び図２はＥＭＩ抑制ケーブル１０を示す。該ＥＭＩ抑制ケーブル１０は芯線１１及び該芯線１１を被蔽しているシールド層１２、並びに該シールド層１２上に被覆されているシース層と称せられる外被層１３とから成る。
【００１０】
而して、前記芯線１１はその外周を絶縁被覆層１４にて囲繞されており、更に、該絶縁被覆層１４付きの芯線１１，１１…は夫々その外周にフェライトコンパウンド混入樹脂層１５，１５…を形成してフェライトコンパウンド混入被覆層付き芯線１１Ａとし、該フェライトコンパウンド混入被覆層付き芯線１１Ａの複数本を束にしてフェライトコンパウンド混入被覆層付き芯線束１６とし、そして、該フェライトコンパウンド混入被覆層付き芯線束１６の外周に前記シールド層１２を形成して被蔽するとともに、該シールド層１２の外周にシース層１３を形成して被覆している。
【００１１】
又、前記芯線１１は銅や金等の導電線に優れた金属線にて構成されており、而も、各芯線１１は可撓性の絶縁材にて被蔽されて隣接する相互の芯線１１との短路が防止されているが、之に限定せられるべきではなく、単一の芯線１１のみにて信号線を構成することもできる。又、前記芯線１１の外周に形成する絶縁被覆層１４とこの外側に形成するフェライトコンパウンド混入被覆層１５とを、押出成形によって形成することもできる。
【００１２】
更に又、前記のフェライトコンパウンド混入被覆層付き芯線束１６の外周に形成した前記シールド層１２は、金属編組線層或いは金属テープ層又はメッシュ金属線混入の樹脂層によって形成することもできる。
【００１３】
更に詳述すれば、前記絶縁被覆層１４は、前記芯線１１の外周に例えばポリエステル樹脂やポリ塩化ビニール樹脂等の熱可塑性樹脂によって形成され、好ましくは押出成形によって能率良く該芯線１１の外周に密着されて薄く形成されるを可とする。更に又、好ましくは該樹脂を彩色して芯線１１，１１…の識別が可能になるように形成されるを可とする。
【００１４】
又、前記フェライトコンパウンド混入樹脂層１５は該樹脂内に略均一に配合されており、而も透磁率が大きく、周波数特性が良好であり、極めて高いＥＭＩ抑止力を発揮することができる。
【００１５】
又、前記シールド層１２は、フェライトコンパウンド混入被覆層付き芯線束１６の外周に従来一般的に使用されている導電性の金属編組線層や金属テープが巻き付け等の手段によって形成されるものであるが、可撓性の導電性材料であれば金属箔等、任意の材質のものが採択される。
【００１６】
更に又、前記シース層と称せられる外被層１３は、前記シールド層１２の外周にポリエステル樹脂やポリ塩化ビニール樹脂等の樹脂により好ましくは彩色形成されて各ＥＭＩ抑制ケーブル１０，１０…の識別ができるようにして最外層の絶縁被覆層即ち、外被として形成される。
【００１７】
本発明のＥＭＩ抑制ケーブル１０は、図１に示すように各芯線１１，１１…ごとに絶縁被覆層にて被覆されて絶縁被覆層付き芯線１１とし、そして、この絶縁被覆層付き芯線１１の外周に前記フェライトコンパウンド混入樹脂層を形成し被覆したフェライトコンパウンド混入被覆層付き芯線１１Ａに形成した後、フェライトコンパウンド混入被覆層付き芯線１１Ａの複数本を束にしてフェライトコンパウンド混入被覆層付き芯線束１６とし、該フェライトコンパウンド混入被覆層付き芯線束１６の外周にシールド層１２を形成して被覆し、更に、該シールド層１２の外周に前記外被層１３を形成して被覆する工程により製造される。
【００１８】
又、本発明のＥＭＩ抑制ケーブル１０は、前述したように各芯線１１，１１…ごとに被覆した絶縁被覆層１４，１４…上に上記フェライトコンパウンド混入樹脂層１５，１５…を夫々形成して被覆する工程と、該フェライトコンパウンド混入被覆層付き芯線１１の複数本を束にしてフェライトコンパウンド混入被覆層付き芯線束１６とし、この芯線束１６の外周にシールド層１２及び外被層１３を形成して被覆する工程よりなるので、比較的に簡素であり、依って、生産性が向上して低コストでＥＭＩ抑制ケーブル１０を製造することができるとともに、構成も比較的簡素であって小型化ができ、更に良好な可撓性と相俟って各種の電子機器内に容易に組み込まれることができる。斯くして、本発明により従来のようにフェライトコアの外付けや、フェライトビーズ等を内部電子パーツとして付設する必要がなくなる。
【００１９】
又、前記絶縁被覆層１４及びフェライトコンパウンド混入樹脂層１５は、各芯線１１，１１…の外周ごとに押出成形により該芯線１１，１１…の外周に密着されて精度良く、且つ、比較的薄く被覆することができ、依って、該フェライトコンパウンド混入樹脂層１５，１５…は各芯線１１，１１…に対して効率良くＥＭＩノイズ抑止効果を発揮すると共に、高価なフェライトを必要最少限に節減することが可能となる。
【００２０】
尚、本発明は、本発明の精神を逸脱しない限り種々の改変を為すことができ、そして、本発明が該改変されたものに及ぶことは当然である。
【００２１】
【発明の効果】
本発明は上記一実施の形態にて詳述したように、フェライトコンパウンド混入被覆層付き芯線束を形成し、該芯線束の外周に形成されたシールド層及びシース層とを具備し、シールド層と各芯線ごとに設けたＥＭＩノイズ抑制機能を有するフェライトコンパウンド混入被覆層により、ケーブルの中心部において隣接する各芯線ごとのＥＭＩノイズ抑制機能がケーブルの全長に及んで極めて効率良く発揮され、又、前記シールド層とシース層により、各芯線のフェライトコンパウンド混入被覆層が保護されて損傷が防止され、前記ＥＭＩノイズ抑制機能の信頼性及び耐久性が向上されている。更に又、比較的に簡素な構成に係るので容易に製造することができ、依って、コストダウンにも寄与するとともにＥＭＩ抑制ケーブルの小径化及び可撓性が高められて電子機器への組み付けも容易となり、斯くして、電子機器の小型化、軽量化のニーズに対応することができる。
【００２２】
更に又、前記芯線の外周ごとに形成する絶縁被覆層とフェライトコンパウンド混入被覆層を押出成形によって形成することにより、各芯線の外周に絶縁被覆層及びフェライトコンパウンド混入被覆層が高精度且つ、容易に形成することが可能となる。
【００２３】
更に、前記芯線束の外周に設けたシールド層は、金属編組線層或いは金属テープ層又はメッシュ金属線混入の樹脂層によって形成されるのであるが、該シールド層は外側の外被層により保護されて損傷が可及的に防止されるとともに、芯線束のフェライトコンパウンド混入被覆層も保護されて同様に損傷が防止され、本発明によるケーブルのＥＭＩノイズ抑制機能の信頼性、耐久性が向上する。又、前記シールド層をメッシュ金属線混入の樹脂層等によって形成することにより、メッシュ金属線と樹脂との付着性が高められてケーブルの耐久性が更に向上する等、正に諸種の著大なる効果を奏する発明である。
【図面の簡単な説明】
【図１】本発明のＥＭＩ抑制ケーブルの一実施の形態を示し、その一部切欠斜視図。
【図２】図１の芯線の拡大縦断面図。
【図３】従来のＥＭＩ抑制ケーブルを示す一部切欠側面図。
【図４】従来の他のＥＭＩ抑制ケーブルの一部切欠斜視図。
【符号の説明】
１０          ＥＭＩ抑制ケーブル
１１          芯線
１１Ａ        フェライトコンパウンド混入被覆層付き芯線
１２          シールド層
１３          外被層
１４          絶縁被覆層
１５          フェライトコンパウンド混入樹脂層
１６          フェライトコンパウンド混入被覆層付き芯線束
【図１】
2004206952.tif 000003
【図２】
2004206952.tif 000004
【図３】
2004206952.tif 000005
【図４】
2004206952.tif 000006